(57)【要約】【課題】ユーザが画面上での映像の表示位置を簡単に指定することができるようにする。【解決手段】映像音声再生装置３は、無線で映像音声送信装置１から送信される映像及び音声を受信するアンテナ群２０１と、映像音声送信装置１のアンテナ群２０１に対する位置を検出する座標算出回路２０５とを備える。また、映像音声再生装置３は、映像の位置と大きさを加工するための映像加工回路３０６と、映像加工回路３０６により加工された映像を表示する表示回路３１０と、音声の定位と大きさを加工するための音声加工回路３０８とを備える。また、映像音声再生装置３は、音声加工回路３０８により加工された音声を再生する音声再生回路３０７と、座標算出回路２０５により検出された位置情報に応じて映像加工回路３０６と音声加工回路３０８を制御する映像音声制御回路３０９とを備える。【選択図】図１１
2010273253.tif 000002
【特許請求の範囲】
【請求項１】
外部装置と所定の範囲に近接することにより通信し映像を受信する通信装置と、前記通信装置と接続された表示装置からなるシステムであって、
前記通信装置は、
自機に対する前記外部装置の位置を検出する検出手段と、
前記外部装置から受信した映像と、前記検出手段により検出した前記外部装置の位置に基づく位置情報とを前記表示装置に送信する送信手段を有し、
前記表示装置は、
前記通信装置から前記映像と、前記位置情報とを受信する受信手段と、
前記受信手段により受信した位置情報に基づき、前記受信した映像を画面のどの位置に表示するかを制御する表示制御手段とを有するシステム。
【請求項２】
外部装置と所定の範囲に近接することにより通信し映像を受信する通信装置と、通信可能に接続される表示装置であって、
前記通信装置が前記外部装置から受信した映像と、前記通信装置に対する前記外部装置の位置に基づき得られる位置情報とを受信する受信手段と、
前記受信手段により受信した位置情報に基づき、前記受信した映像を画面のどの位置に表示するかを制御する表示制御手段とを有する表示装置。
【請求項３】
前記通信装置が複数の外部装置と通信している場合、前記受信手段は前記複数の外部装置のそれぞれに対応する複数の映像及び複数の位置情報を受信し、
前記表示制御手段は、前記複数の位置情報が示す前記複数の外部装置の相対的な位置関係に基づき、前記受信した複数の映像をどのように表示するかを制御する請求項２に記載の表示装置。
【請求項４】
音声を出力する音声出力手段をさらに有し、
前記受信手段はさらに、前記通信装置から音声を受信し、  
前記受信手段により受信した位置情報に基づき、前記受信した音声をどのように出力するかを制御する音声出力制御手段をさらに有する請求項２または３に記載の表示装置。
【請求項５】
外部装置及び表示装置と通信可能な通信装置であって、
外部装置と所定の範囲に近接することにより通信し、映像を受信する受信手段と、  
自機に対する前記外部装置の位置を検出する検出手段と、
前記表示装置が前記検出手段により検出した位置に基づく位置に、前記受信手段により受信した映像を表示するよう、前記外部装置から受信した映像と、前記検出手段により検出した前記外部装置の位置に基づく位置情報とを前記表示装置に送信する送信手段とを有する通信装置。
【請求項６】
前記外部装置との通信を行うための複数のアンテナを有し、
前記検出手段は、前記複数のアンテナから得られる信号に基づき前記外部装置の位置を検出することを特徴とする請求項５に記載の通信装置。
【請求項７】
前記検出手段は、複数の外部装置と通信している場合、前記複数の外部装置の位置を検出し、
前記送信手段は、前記複数の外部装置のそれぞれから受信した映像と、前記複数の外部装置のそれぞれの位置に基づく位置情報を送信することを特徴とする通信装置。
【請求項８】
外部装置と所定の範囲に近接することにより通信し映像を受信する通信装置と、通信可能に接続される表示装置の制御方法であって、
前記通信装置が前記外部装置から受信した映像と、前記通信装置に対する前記外部装置の位置に基づき得られる位置情報とを受信する受信ステップと、
前記受信ステップにより受信した位置情報に基づき、前記受信した映像を画面のどの位置に表示するかを制御する表示制御ステップとを有する表示装置の制御方法。
【請求項９】
外部装置及び表示装置と通信可能な通信装置の制御方法であって、
外部装置と所定の範囲に近接することにより通信し、映像を受信する受信ステップと、
自機に対する前記外部装置の位置を検出する検出ステップと、
前記表示装置が前記検出手段により検出した位置に基づく位置に、前記受信手段により受信した映像を表示するよう、前記外部装置から受信した映像と、前記検出手段により検出した前記外部装置の位置に基づく位置情報とを前記表示装置に送信する送信ステップとを有する通信装置の制御方法。
【発明の詳細な説明】
【技術分野】
【０００１】
本発明は、映像を送受信し、表示装置に表示させる技術に関する。
【背景技術】
【０００２】
映像音声送信装置（例えば、ビデオカメラやデジタルカメラ）からの無線による映像、音声を受信して表示する映像音声再生装置（例えば、テレビジョン）に関連して、以下の技術が提案されている。即ち、複数の映像ソースをマルチ画面に配置するシステムであって、擬似画面上を使って表示位置をボタン操作によって配置するシステムが、特許文献１において提案されている。
【先行技術文献】
【特許文献】
【０００３】
【特許文献１】特開２００８−２７１９６号公報
【発明の概要】
【発明が解決しようとする課題】
【０００４】
無線による映像、音声を受信して表示するテレビジョンにおいて、ビデオカメラやデジタルカメラで撮影した映像を画面で鑑賞するときに、簡単な操作で自由にレイアウトしたいという要望がある。
【０００５】
本発明の目的は、ユーザが画面上での映像の表示位置を簡単に指定することができるようにすることにある。
【課題を解決するための手段】
【０００６】
上記目的を達成するために、請求項２記載の表示装置は、外部装置と所定の範囲に近接することにより通信し映像を受信する通信装置と、通信可能に接続される表示装置であって、前記通信装置が前記外部装置から受信した映像と、前記通信装置に対する前記外部装置の位置に基づき得られる位置情報とを受信する受信手段と、前記受信手段により受信した位置情報に基づき、前記受信した映像を画面のどの位置に表示するかを制御する表示制御手段とを有する。
【０００７】
請求項５記載の通信装置は、外部装置及び表示装置と通信可能な通信装置であって、外部装置と所定の範囲に近接することにより通信し、映像を受信する受信手段と、自機に対する前記外部装置の位置を検出する検出手段と、前記表示装置が前記検出手段により検出した位置に基づく位置に、前記受信手段により受信した映像を表示するよう、前記外部装置から受信した映像と、前記検出手段により検出した前記外部装置の位置に基づく位置情報とを前記表示装置に送信する送信手段とを有する。
【発明の効果】
【０００８】
本発明によれば、ユーザが画面上での映像の表示位置を簡単に指定することができる。
【図面の簡単な説明】
【０００９】
【図１】本発明の第１の実施の形態に係る映像鑑賞システムの外観図である。
【図２】本発明の第１の実施の形態に係る映像鑑賞システムの外観図である。
【図３】本発明の第１の実施の形態に係る映像鑑賞システムの外観図である。
【図４】図１における映像音声送信装置１の内部構成図である。
【図５】図１における通信装置２の内部構成図である。
【図６】図１における通信装置２の内部構成図である。
【図７】図１における通信装置２を縦方向に切断した面を示す図である。
【図８】図７におけるアンテナ群２０１の振幅の様子をグラフにした図である。
【図９】図５の通信装置２によって実行される映像音声送信装置１の位置検出処理の手順を示すフローチャートである。
【図１０】図１における映像音声再生装置３の内部構成の一部分を示す図である。
【図１１】図１における映像音声再生装置３の内部構成の一部分を示す図である。
【図１２】図１における映像音声再生装置３の内部構成の一部分を示す図である。
【図１３】本発明の第２の実施の形態に係る映像鑑賞システムの外観図である。
【図１４】本発明の第２の実施の形態に係る映像鑑賞システムの外観図である。
【図１５】図１３における通信装置２０の内部構成図である。
【図１６】図１３における通信装置２０の内部構成図である。
【図１７】図１３における映像音声再生装置３０の内部構成の一部分を示す図である。
【図１８】図１３における映像音声再生装置３０の内部構成の一部分を示す図である。
【図１９】図１３における映像音声再生装置３０の内部構成の一部分を示す図である。
【発明を実施するための形態】
【００１０】
以下、本発明を図面を参照しながら詳細に説明する。
【００１１】
（第１の実施の形態）
図１〜図３は、本発明の第１の実施の形態に係る映像鑑賞システムの外観図である。
【００１２】
図１〜図３において、本映像鑑賞システムは、映像音声送信装置（例えば、ビデオカメラやデジタルカメラ）１、通信装置２、映像音声再生装置（例えば、テレビジョン）３から構築される。通信装置２は、映像音声送信装置１を載置する台としての機能を有する。尚、本実施の形態では通信装置２と映像音声再生装置３は、通信ケーブル４で接続されているものとするが、映像音声再生装置３と一体的に設けてもよい。
【００１３】
ここで、映像音声送信装置１の代わりに、映像のみ送信する映像送信装置を用いてもよい。同様に、映像音声再生装置３の代わりに、映像のみ再生する映像再生装置を用いてもよい。
【００１４】
また、図２及び図３において、映像音声再生装置３の画面には、映像音声送信装置１から受信した外部映像５が表示される。
【００１５】
本実施の形態における映像音声送信装置１は、それ単体で映像を鑑賞できる持ち運び可能な電子機器である。通信装置２は、その内部に、所定の範囲に近接すると通信を行う近接無線による通信を可能にするためのアンテナ群を備えている。図１から見て通信装置２の上面に映像音声送信装置１を近接させると、通信装置２と映像音声送信装置１は通信を開始する。以下、近接させるとは、近接無線通信が可能な範囲内に機器同士を近づけることをいう。映像音声再生装置３は、外部からの多様な映像信号を表示することができる。通信ケーブル４は、通信装置２から映像音声再生装置３へ信号を伝送する。
【００１６】
図１は、映像音声送信装置１と通信装置２が通信可能な範囲外に離れた状態である場合、通信装置２は通信を行っていないことを、通信ケーブル４を通じて映像音声再生装置３に通知している。
【００１７】
映像音声再生装置３は、通信装置２が通信を行っていない場合には、通常表示状態となり、例えばテレビ放送などが表示可能である。
【００１８】
図２は、映像音声送信装置１が通信装置２に近接状態の場合、通信装置２は映像音声送信装置１と通信を行い、通信ケーブル４を経由して映像音声再生装置３に映像信号（または映像信号と音声信号、以下同様）を送っている。
【００１９】
映像音声再生装置３は、通信装置２からの映像信号を外部映像５として通常の表示と合成して表示（映像表示または映像表示と音声出力、以下同様）している。
【００２０】
図３は、図２の状態と同様であるが、通信装置２に対して映像音声送信装置１の位置が異なっている。通信装置２は、映像音声送信装置１の位置を検出して映像音声再生装置３に通知している。
【００２１】
映像音声再生装置３は、通信装置２から通知される映像音声送信装置１の位置情報に対応して通信装置２から送られてくる映像信号を外部映像５として位置を変えて合成している。
【００２２】
図４は、図１における映像音声送信装置１の内部構成図である。
【００２３】
図４において、映像音声送信装置１は、液晶表示パネル１０１、スピーカ１０２、カードスロット１０３、操作ボタン群１０４、送受信アンテナ１０５を備える。
【００２４】
また、映像音声送信装置１は、読み書き回路１１１、分離回路１１２、映像再生回路１１３、表示回路１１４、音声再生回路１１５、低周波アンプ１１６、送受信回路１１７を備える。
【００２５】
さらに、映像音声送信装置１は、制御回路１２１、読み書き制御回路１２２、通信制御回路１２３、メモリカード１３１を備える。
【００２６】
尚、映像音声送信装置１は、レンズ、センサ、シャッタ、絞りなどの撮影に関するハードウェアも含む。
【００２７】
ここで、映像音声送信装置１の再生動作を説明する。
【００２８】
ユーザが操作ボタン群１０４のボタンを操作して再生動作の指示が行われると、操作が制御回路１２１に通知される。
【００２９】
制御回路１２１は、再生動作を指示されると、読み書き制御回路１２２に、予め選択されている音声付き映像データを順次読み出すよう制御信号を送る。制御回路１２１は、並行して、通信制御回路１２３に、送信（通信）を開始するよう制御信号を送る。
【００３０】
読み書き制御回路１２２は、音声付き映像データを順次読み出すための制御信号を受けると、カードスロット１０３に装着されているメモリカード１３１から対応するデータを順次読み出して、分離回路１１２及び送受信回路１１７に送る。
【００３１】
分離回路１１２は、音声付き映像データを映像データと音声データに分離して、それぞれ映像データを映像再生回路１１３へ、音声データを音声再生回路１１５へ送る。
【００３２】
映像再生回路１１３は、映像データを画像データに再現して表示回路１１４に送る。表示回路１１４は、内部のビデオメモリに保持されている画像データを順次読み出して液晶表示パネル１０１に送り、表示する。
【００３３】
また、音声再生回路１１５は、音声データを音声信号に変換して低周波アンプ１１６に出力する。低周波アンプ１１６は、送られてきた音声信号を増幅してスピーカ１０２を駆動して鳴らす。
【００３４】
さらに、送受信回路１１７は、音声付き映像データを変調及び増幅して送受信アンテナ１０５を駆動して外部（通信装置２）に出力する。
【００３５】
図５及び図６は、図１における通信装置２の内部構成図である。
【００３６】
図５において、通信装置２は、映像音声受信手段としてのアンテナ群２０１、受信制御回路２０２、アンテナ選択回路２０３、映像音声受信手段としての映像音声受信回路（映像受信回路）２０４、位置検出手段としての座標算出回路２０５を備える。
【００３７】
また、図６において、通信装置２は、多重化回路２１１、送信回路２１２、コネクタ２１３を備える。
【００３８】
ここで、通信装置２の受信動作について説明する。
【００３９】
受信制御回路２０２は、アンテナ選択回路２０３に、アンテナ群２０１からアンテナを選択するための選択信号を出力する。この選択信号は、音声付き映像データを受信するためと映像音声送信装置１の位置を検出するためのものである。
【００４０】
受信制御回路２０２は、まず、映像音声送信装置１の位置を検出するために、縦に配置されているアンテナを順次選択していくと同時に、選択したアンテナを座標算出回路２０５に通知する。
【００４１】
次に、受信制御回路２０２は、横に配置されているアンテナを順次選択していくと同時に、選択したアンテナを座標算出回路２０５に通知する。
【００４２】
座標算出回路２０５は、選択されたアンテナとアンテナ選択回路２０３から受信した信号の振幅を元にして映像音声送信装置１の座標を算出する。
【００４３】
そして、受信制御回路２０２は、座標算出回路２０５で算出した座標を元にして、その近傍のアンテナを選択する選択信号を出力する。アンテナ選択回路２０３は、受信制御回路２０２からの選択信号に基づいてアンテナを選択する。
【００４４】
映像音声受信回路２０４は、その選択されたアンテナの信号を受信して音声付き映像データを出力する。
【００４５】
多重化回路２１１は、映像音声受信回路２０４から出力される音声付き映像データと座標算出回路２０５から出力される座標データを多重化して多重信号を出力する。そして、送信回路２１２は、コネクタ２１３に接続されている通信ケーブル４を経由して、多重信号を映像音声再生装置３に送信する。
【００４６】
さらに、通信装置２が、自機に対する映像音声送信装置１の位置を検出する方法を説明する。
【００４７】
図７は、図１における通信装置２を縦方向に切断した面を示す図である。
【００４８】
図７に示すように、映像音声送信装置１の下面には、近接無線通信用の送受信アンテナ１０５が配置されている。また、通信装置２の上面には、前述したように等間隔にアンテナを配置したアンテナ群２０１が配置されている。
【００４９】
図８（ａ）、（ｂ）、（ｃ）は、図７におけるアンテナ群２０１の中のアンテナをアンテナＡ、アンテナＢ、アンテナＣとしたときの振幅の様子をグラフにした図である。
【００５０】
図７において、映像音声送信装置１がアンテナＡの真上にある場合には、図８における（Ａ）で示した振幅がアンテナＡ〜Ｃの信号の振幅となる。
【００５１】
また、映像音声送信装置１がアンテナＢの真上にある場合には、（Ｂ）で示した振幅となり、映像音声送信装置１がアンテナＣの真上にある場合には、（Ｃ）で示した振幅となる。
【００５２】
図９は、図５の通信装置２によって実行される映像音声送信装置１の位置検出処理の手順を示すフローチャートである。本処理は座標算出回路２０５の制御の下に実行される。
【００５３】
ステップＳ９０１において、座標算出回路２０５は、受信制御回路２０２が順次選択したアンテナとアンテナ選択回路２０３からの信号の振幅を内部のメモリに記憶していく。座標算出回路２０５は、一通り選択が終わったら内部のメモリを参照して振幅が最大のアンテナを決定する。
【００５４】
そして、座標算出回路２０５は、信号の振幅が規定値以上か否かを判定する（ステップＳ９０２）。判定の結果、規定値に満たない場合には、映像音声送信装置１の位置の検出に失敗となり、その旨が受信制御回路２０２に通知される。
【００５５】
判定の結果、規定値以上である場合には、ステップＳ９０３に進み、座標算出回路２０５は、最大のアンテナの両隣のアンテナの振幅を比較して大きい方を判定する。この判定で、映像音声送信装置１の位置が、振幅が最大であったアンテナに対してどちらにずれているか決定される。
【００５６】
ステップＳ９０４において、座標算出回路２０５は、振幅が最大であるアンテナの信号の振幅とその隣のアンテナの信号の振幅の比からこの２つのアンテナ間の位置を計算あるいは表にて求める。そして、座標算出回路２０５は、位置の検出に成功した旨を受信制御回路２０２に通知する。
【００５７】
以上のような動作を繰り返して、直行する２つの方向に対して位置を求め映像音声送信装置１の座標を決定する。
【００５８】
図９を用いて、映像音声送信装置１が図７のような位置にある場合を例にして、その位置の算出方法について説明する。
【００５９】
ステップＳ９０１において、座標算出回路２０５は、振幅が最大のアンテナを決定する。この場合では、図８の（Ｘ）で示すように、アンテナＡに対する振幅の値は、かなり低く、アンテナＢに対する振幅が最大で、アンテナＣはアンテナＢよりも振幅がやや小さくなっていて、振幅が最大のアンテナはアンテナＢに決定される。
【００６０】
ステップＳ９０２において、座標算出回路２０５は、その振幅を予め決めてある規定値と比較して十分な振幅があることを判定する。ステップＳ９０２において、その振幅が規定値以上であることが確認される。
【００６１】
ステップＳ９０３に進み、座標算出回路２０５により、両隣のアンテナの振幅が比較され、右側のアンテナＣの振幅が大きいと判断し、アンテナＢとの比較対象に決定される。
【００６２】
ステップＳ９０４において、座標算出回路２０５は、アンテナＢの振幅の値とアンテナＣの振幅の値から図７のＸで示す位置を算出する。
【００６３】
図１０〜１２は、図１における映像音声再生装置３の内部構成の一部分を示す図である。
【００６４】
図１０において、映像音声再生装置３は、コネクタ３０１、受信回路３０２、分離回路３０３を備える。
【００６５】
また、図１１において、映像音声再生装置３は、分離回路３０４、映像再生回路３０５、映像加工回路３０６、音声再生回路３０７、音声加工回路３０８、映像音声制御回路（映像制御回路）３０９を備える。
【００６６】
さらに、図１２において、映像音声再生装置３は、表示回路３１０、液晶表示パネル３１１、低周波アンプ３１２、スピーカ３１３を備える。
【００６７】
図１０〜１２を用いて、映像音声再生装置３の動作を説明する。
【００６８】
受信回路３０２は、通信ケーブル４及びコネクタ３０１を経由してきた多重信号を受信する。分離回路３０３は、受信した多重信号を音声付き映像データと座標データに分離する。さらに、分離回路３０４は、音声付き映像データを映像データと音声データに分離する。
【００６９】
映像再生回路３０５は、映像データを画像データに再現する。映像加工回路３０６は、映像再生回路３０５によって再現された画像データを映像音声制御回路３０９からの制御信号に従って加工する。
【００７０】
表示回路３１０は、表示制御を行う回路の１つであり、映像加工回路３０６によって加工された加工済み画像データを内部のビデオメモリに保持し、画像データを順次読み出して液晶表示パネル３１１を駆動して表示する。
【００７１】
また、音声再生回路３０７は、音声データを音声信号に変換して出力する。音声加工回路３０８は、音声再生回路３０７からの音声信号を映像音声制御回路３０９からの制御信号に従って加工する。具体的には、今まで通常状態において表示していた画像データに、映像音声送信装置１から受信した画像データを重畳する。重畳する位置は、制御信号に基づき決定される。
【００７２】
低周波アンプ３１２は、音声出力制御を行う回路の１つであり、音声加工回路３０８によって加工された加工済み音声信号を増幅してスピーカ３１３を駆動して鳴らす。映像音声制御回路３０９は、分離回路３０３によって分離された座標データに応じて映像と音声の加工を制御する制御信号を生成する。
【００７３】
この例では、映像音声送信装置１が通信装置２の上面を映像音声再生装置３の画面上の位置に対応させている。従って、映像音声送信装置１を通信装置２の上面で左に移動すれば、映像音声再生装置３の画面上での外部映像５も左に移動し、音声も右側のスピーカの音量を大きくする。同様に、右ならば右へ、手前なら下へ、そして奥ならば上に表示位置を変更したり、どの方向に大きな音を出力するかを変更することができる。
【００７４】
（第２の実施の形態）
以下、第２の実施の形態について説明する。尚、本実施の形態は第１の実施の形態と共通する部分が多いため、共通部分については説明を省略し、本実施の形態に特有の部分を中心に説明する。
【００７５】
図１３及び図１４は、本発明の第２の実施の形態に係る映像鑑賞システムの外観図である。
【００７６】
図１３において、本映像鑑賞システムは、映像音声送信装置１１及び１２、通信装置２０、映像音声再生装置３０から構築される。通信装置２０と映像音声再生装置３０は、通信ケーブル４０で接続される。符号５１及び５２は外部映像を示す。
【００７７】
映像音声送信装置１１及び映像音声送信装置１２は、第１の実施の形態の映像音声送信装置１と同様のものである。
【００７８】
通信装置２０は、第１の実施の形態の通信装置２とは異なり、その上面に無線による通信を可能にするためのアンテナ群を２つ備えている。
【００７９】
映像音声再生装置３０は、外部からの多様な映像信号を複数同時に表示することができる。通信ケーブル４０は、第１の実施の形態の通信ケーブル４と同様のものである。
【００８０】
図１３及び図１４は、映像音声送信装置１１及び映像音声送信装置１２が通信装置２０に接した状態である。通信装置２０は、映像音声送信装置１１及び映像音声送信装置１２と通信を行い、通信ケーブル４０を経由して映像音声再生装置３０にそれぞれの映像信号を送っている。
【００８１】
映像音声再生装置３０は、通信装置２０からのそれぞれの映像信号を外部映像５１及び外部映像５２として通常の表示と合成して表示している。
【００８２】
図１３においては、映像音声送信装置１１が通信装置２０の上面の左側に、映像音声送信装置１２が通信装置２０の上面の右側に置かれている。尚、図１３に示すように、映像音声送信装置１１は、映像音声送信装置１２よりも手前側に置かれているものとする。
【００８３】
また、図１４においては、映像音声送信装置１１が通信装置２０の上面の左の奥に、映像音声送信装置１２が通信装置２０の上面の右の手前に置かれている。
【００８４】
通信装置２０は、上面の左右半分ずつの領域について、それぞれの映像音声送信装置の奥行き方向の位置を検出して映像音声再生装置３０に通知している。
【００８５】
そして、映像音声再生装置３０は、通信装置２０から通知される映像音声送信装置１１及び映像音声送信装置１２の位置情報に対応して通信装置２０から送られてくるそれぞれの映像信号を外部映像５１及び外部映像５２として大きさを変えて合成している。
【００８６】
図１５、図１６は、図１３における通信装置２０の内部構成図である。
【００８７】
図１５において、通信装置２０は、アンテナ群４０１、受信制御回路４０２、アンテナ選択回路４０３、映像音声受信回路４０４、座標算出回路４０５を備える。これと同様の構成を有する通信装置が２つあるものとする。
【００８８】
通信装置２０は、第１の実施の形態の通信装置２と比べて、左右の位置検出が不要である。従って、アンテナ群４０１は、第１の実施の形態のアンテナ群２０１と異なり、縦のアンテナが省かれている。
【００８９】
アンテナ群４０１に関わる部分を除くと、受信制御回路４０２、アンテナ選択回路４０３、受信回路４０４、座標算出回路４０５の、それぞれの動作は、第１の実施の形態と基本的に同様のものとなっている。
【００９０】
図１６において、通信装置２０は、多重化回路４１１、送信回路４１２、コネクタ４１３を備える。
【００９１】
多重化回路４１１は、左側のブロックからの音声付き映像データ（左側）と座標データ（左側）、右側のブロックからの音声付き映像データ（右側）と座標データ（右側）を多重化して多重信号を出力する。そして、送信回路４１２は、コネクタ４１３に接続されている通信ケーブル４０を経由して、多重信号を映像音声再生装置３０に送信する。
【００９２】
図１７〜図１９は、図１３における映像音声再生装置３０の内部構成の一部分を示す図である。
【００９３】
図１７において、映像音声再生装置３０は、コネクタ５０１、受信回路５０２、分離回路５０３を備える。
【００９４】
また、図１８において、映像音声再生装置３０は、分離回路５０４及び５０５、映像再生回路５０６及び５０７、映像加工回路５０８、音声再生回路５０９及び５１０、音声加工回路５１１、映像音声制御回路５１２を備える。
【００９５】
さらに、図１９において、映像音声再生装置３０は、表示回路５１３、液晶表示パネル５１４、低周波アンプ５１５及び５１７、スピーカ（左及び右）５１６及び５１８を備える。
【００９６】
図１７〜図１９を用いて、映像音声再生装置３０の動作を説明する。
【００９７】
受信回路５０２は、通信ケーブル４０及びコネクタ５０１を経由してきた多重信号を受信する。分離回路５０３は、受信した多重信号を音声付き映像データ（左側）と音声付き映像データ（右側）と座標データ（左側）と座標データ（右側）に分離する。
【００９８】
さらに、分離回路５０４は、音声付き映像データ（左側）を映像データ（左側）と音声データ（左側）に分離する。また、分離回路５０５は、音声付き映像データ（右側）を映像データ（右側）と音声データ（右側）に分離する。
【００９９】
映像再生回路５０６は、映像データ（左側）を画像データ（左側）に再現する。また、映像再生回路５０７は、映像データ（右側）を画像データ（右側）に再現する。
【０１００】
映像加工回路５０８は、映像再生回路５０６によって再現された画像データ（左側）と映像再生回路５０７によって再現された画像データ（右側）を映像音声制御回路５１２からの制御信号に従って加工する。
【０１０１】
表示回路５１３は、映像加工回路５０８によって加工された加工済み画像データを内部のビデオメモリに保持し、画像データを順次読み出して液晶表示パネル５１４を駆動して表示する。
【０１０２】
音声再生回路５０９は、音声データ（左側）を音声信号（左側）に変換して出力する。また、音声再生回路５１０は、音声データ（右側）を音声信号（右側）に変換して出力する。
【０１０３】
音声加工回路５１１は、音声再生回路５０９からの音声信号（左側）と音声再生回路５１０からの音声信号（右側）を映像音声制御回路５１２からの制御信号に従って加工する。
【０１０４】
低周波アンプ５１５は、音声加工回路５１１によって加工された加工済み音声信号（左）を増幅してスピーカ（左）５１６を駆動して鳴らす。
【０１０５】
また、低周波アンプ５１６は、音声加工回路５１１によって加工された加工済み音声信号（右）を増幅してスピーカ（右）５１６を駆動して鳴らす。
【０１０６】
映像音声制御回路５１２は、分離回路５０３によって分離された座標データ（左側）と座標データ（右側）に応じて映像と音声の加工を制御する制御信号を生成する。
【０１０７】
この例では、通信装置２０の上面の左側に映像音声送信装置１１、右側に映像音声送信装置１２を置いていて、奥行き方向の位置に応じて、映像の大きさ及び音声の大きさを制御するようにしている。
【０１０８】
映像音声送信装置１１、映像音声送信装置１２がそれぞれ手前にあるならば拡大されつつ中央寄りに、奥にあるならば縮小され端に寄って表示される。
【０１０９】
また、同時に画面に表示されている位置に応じて、それぞれの映像音声送信装置ごとに左右の音量を調整することで、表示の位置と大きさに合わせた音声の定位を制御するようにしている。
【０１１０】
尚、本実施の形態では、２つの通信装置２０が別個に設けられた構成について説明したが、必ずしもこの構成に限定されない。例えば１つの通信装置が、その上面に置かれた複数の映像音声送信装置の位置を検知することで各映像音声送信装置の座標を求めてもよい。この場合、各映像音声送信装置相対的な位置関係に応じて映像音声再生装置での表示位置が決定される。
【図１】
2010273253.tif 000003
【図２】
2010273253.tif 000004
【図３】
2010273253.tif 000005
【図４】
2010273253.tif 000006
【図５】
2010273253.tif 000007
【図６】
2010273253.tif 000008
【図７】
2010273253.tif 000009
【図８】
2010273253.tif 000010
【図９】
2010273253.tif 000011
【図１０】
2010273253.tif 000012
【図１１】
2010273253.tif 000013
【図１２】
2010273253.tif 000014
【図１３】
2010273253.tif 000015
【図１４】
2010273253.tif 000016
【図１５】
2010273253.tif 000017
【図１６】
2010273253.tif 000018
【図１７】
2010273253.tif 000019
【図１８】
2010273253.tif 000020
【図１９】
2010273253.tif 000021